(57)【特許請求の範囲】
【請求項１】
被加熱物の出し入れ用に前方を開放自在で前記被加熱物を内部に収容するグリル庫と、このグリル庫の左右両側の下方に配置される下火バーナと、前記グリル庫の側壁の壁面を覆い前記側壁に対して着脱自在のサイドカバーとを有し、
前記側壁は、前記壁面の前方側に第１突起が前記グリル庫の左右方向における中央側に突出して設けてあり、前記壁面の後方側に第２突起が前記中央側に突出して設けてあり、
前記第１突起は、前記側壁から前記中央側に突出した第１軸部と、前記第１軸部の突出先端に形成された第１係止部とを備えると共に、前記第１係止部が左右方向に視て前記第１軸部より少なくとも上方又は前方に張り出しており、
前記第２突起は、前記側壁から前記中央側に突出した第２軸部と、前記第２軸部の突出先端に形成された第２係止部とを備えると共に、前記第２係止部が左右方向に視て前記第２軸部より少なくとも上方に張り出しており、
前記サイドカバーは、前記第１突起に対応する位置に第１開口部が設けてあり、前記第２突起に対応する位置に第２開口部が設けてあり、
前記第１開口部は、前方側の開口が前記第１軸部を挿通自在で且つ前記側壁への装着時に前記第１突起からの脱落を前記第１係止部で阻止される幅狭部であり、後方側の開口が前記幅狭部に比べて広い上下幅で前記第１軸部及び前記第１係止部を挿通自在な幅広部であり、
前記第２開口部は、前記第２軸部及び前記第２係止部を挿通自在で且つ前記側壁への装着時に前記第２突起からの脱落を前記第２係止部で阻止されるものであり、
前記サイドカバーの前端部には、前記中央側に突出した操作部が前記第１開口部より下方に位置して設けてあり、
前記サイドカバーは、前記幅広部に前記第１突起を挿通後に、後方側へスライド移動して前記第１突起を前記幅狭部に位置させたときに、前記第１突起からの脱落を前記第１係止部で阻止された状態で、後方側の部位が下方に降下した第１姿勢になると共に、
この第１姿勢で、前記操作部を後方側に押圧操作したときに、前記第１突起からの脱落を阻止された状態で、前記幅狭部の前端縁を支点として前記後方側の部位が上方に回動し、前記第２開口部に前記第２突起が挿通された後、前記第２突起からの脱落を前記第２係止部で阻止される第２姿勢になり、
前記第２姿勢で前記側壁に装着されるものである
ことを特徴とするグリル。
【請求項２】
前記下火バーナの少なくとも一部が前記側壁より前記中央側に突出して位置し、
前記下火バーナの上方を覆うバーナ上部カバーを、前記側壁から前記中央側に突出して設け、
前記バーナ上部カバーの上面が、前記側壁から下向きで前記中央側に傾斜した傾斜面であり、
前記サイドカバーは前記壁面及び前記バーナ上部カバーの前記上面を覆い、
前記サイドカバーは、前記後方側の部位が前記中央側に傾いた状態で前記第１姿勢になると共に、
前記第１姿勢から前記第２姿勢への回動時に、前記後方側の部位が前記バーナ上部カバーの前記上面にガイドされながら上方に回動するものであることを特徴とする請求項１に記載のグリル。
【請求項３】
前記第１突起が、前記第１軸部に比べて大径の頭部を前記第１係止部としたピンであり、
前記第２突起が、前記第２軸部に比べて大径の頭部を前記第２係止部としたピンであることを特徴とする請求項２に記載のグリル。
【請求項４】
前記サイドカバーは、前記壁面を覆う縦片と、前記バーナ上部カバーの前記上面を覆い且つこの上面に載置される下片とを備え、
前記第１姿勢時に前記下片の前記バーナ上部カバーの前記上面からの脱落を阻止する牽制部が設けてあり、
前記サイドカバーは、前記第１姿勢時に前記牽制部によって、前記第２開口部を前記第２突起の下方に位置し且つ前記下片の一部を前記バーナ上部カバーの前記上面に当接した状態で保持されるものであることを特徴とする請求項２又は３に記載のグリル。
【請求項５】
前記第２姿勢への回動時に前記サイドカバーの前方側へのスライド移動を規制する規制部が設けてあることを特徴とする請求項１乃至４のいずれか一項に記載のグリル。
【請求項６】
前記第２開口部が後方に開放した形状であることを特徴とする請求項１乃至５のいずれか一項に記載のグリル。
【発明の詳細な説明】
【技術分野】
【０００１】
本発明は、グリルに関し、詳しくは、グリル庫の側壁を被覆するサイドカバーを着脱自在で有したグリルに関する。
【背景技術】
【０００２】
従来から、グリル庫の両内側面を着脱可能に被覆するカバー板が装着されているグリルがある。このグリルでは、カバー板が不用意に外れないように、両内側面の各々には係止突起が前後に所定間隔を空けて二つ突設され、係止突起に対応するカバー板の２箇所の所定位置には係止突起に対して水平方向の移動を阻止した状態で係止可能な係止孔が形成されている。そして、係止孔の各々は上下方向に連通した小径孔と大径孔とで構成されており、カバー板を取り付ける際には、係止突起を大径部に挿通した後、カバー板を下方に移動させて係止突起を小径孔に位置させることで、水平方向の移動を阻止した状態で取り付けている（例えば、特許文献１参照）。
【先行技術文献】
【特許文献】
【０００３】
【特許文献１】特開２００６−１４１５８８号公報
【発明の概要】
【発明が解決しようとする課題】
【０００４】
ところで、特許文献１の構成では、カバー板を下方に移動させる前に、前後二つの係止孔を各々係止突起に挿通させる必要があるが、奥側（後方側）の係止突起や係止孔は利用者に視認し難い。そのため、奥側の係止孔に係止突起を挿通させ難く、カバー板の取付を容易に行うことが困難であるという問題がある。
【０００５】
本発明は前記従来の課題に鑑みてなされたものであって、その目的とするところは、前後の係止部でグリル庫に装着されるサイドカバーを有したグリルにおいて、前後の係止部にサイドカバーを取り付け易くして、サイドカバーのグリル庫内への取付作業を簡単にしたグリルを提供することにある。
【課題を解決するための手段】
【０００６】
上記課題を解決するために、本発明のグリルは、被加熱物の出し入れ用に前方を開放自在で前記被加熱物を内部に収容するグリル庫２と、このグリル庫２の側壁７の壁面７ａを覆い前記側壁７に対して着脱自在のサイドカバー２０とを有し、前記側壁７は、前記壁面７ａの前方側に第１突起１０が前記グリル庫２の左右方向における中央側に突出して設けてあり、前記壁面７ａの後方側に第２突起１１が前記中央側に突出して設けてあり、前記第１突起１０は、前記側壁７から前記中央側に突出した第１軸部１０ａと、前記第１軸部１０ａの突出先端に形成された第１係止部１０ｂとを備えると共に、前記第１係止部１０ｂが左右方向に視て前記第１軸部１０ａより少なくとも上方又は前方に張り出しており、前記第２突起１１は、前記側壁７から前記中央側に突出した第２軸部１１ａと、前記第２軸部１１ａの突出先端に形成された第２係止部１１ｂとを備えると共に、前記第２係止部１１ｂが左右方向に視て前記第２軸部１１ａより少なくとも上方に張り出しており、前記サイドカバー２０は、前記第１突起１０に対応する位置に第１開口部２４が設けてあり、前記第２突起１１に対応する位置に第２開口部２７が設けてあり、前記第１開口部２４は、前方側の開口が前記第１軸部１０ａを挿通自在で且つ前記側壁７への装着時に前記第１突起１０からの脱落を前記第１係止部１０ｂで阻止される幅狭部２６であり、後方側の開口が前記幅狭部２６に比べて広い上下幅で前記第１軸部１０ａ及び前記第１係止部１０ｂを挿通自在な幅広部２５であり、前記第２開口部２７は、前記第２軸部１１ａ及び前記第２係止部１１ｂを挿通自在で且つ前記側壁７への装着時に前記第２突起１１からの脱落を前記第２係止部１１ｂで阻止されるものであり、前記サイドカバー２０の前端部には、前記中央側に突出した操作部３０が前記第１開口部２４より下方に位置して設けてあり、前記サイドカバー２０は、前記幅広部２５に前記第１突起１０を挿通後に、後方側へスライド移動して前記第１突起１０を前記幅狭部２６に位置させたときに、前記第１突起１０からの脱落を前記第１係止部１０ｂで阻止された状態で、後方側の部位が下方に降下した第１姿勢になると共に、この第１姿勢で、前記操作部３０を後方側に押圧操作したときに、前記第１突起１０からの脱落を阻止された状態で、前記幅狭部２６の前端縁２４ａを支点として前記後方側の部位が上方に回動し、前記第２開口部２７に前記第２突起１１が挿通された後、前記第２突起１１からの脱落を前記第２係止部１１ｂで阻止される第２姿勢になり、前記第２姿勢で前記側壁７に装着されるものであることを特徴とする。
【０００７】
このような構成とすることで、前記第１開口部２４や前記第１突起１０の位置を視認した状態で前記サイドカバー２０を前記第１突起１０に取り付けた後、前記操作部３０を押圧操作して前記第２姿勢へ回動させるだけで、前記サイドカバー２０を前記第２突起１１に取り付けることができる。そのため、前記サイドカバー２０の前記第１突起１０及び前記第２突起１１への取付を円滑に行い易くなり、前記サイドカバー２０の取付作業を簡単に行い易くすることができる。
【０００８】
また、このグリルとして、前記下火バーナ３の少なくとも一部が前記側壁７より前記中央側に突出して位置し、前記下火バーナ３の上方を覆うバーナ上部カバー５を、前記側壁７から前記中央側に突出して設け、前記バーナ上部カバー５の上面５ａが、前記側壁７から下向きで前記中央側に傾斜した傾斜面であり、前記サイドカバー２０は前記壁面７ａ及び前記バーナ上部カバー５の前記上面５ａを覆い、前記サイドカバー２０は、前記後方側の部位が前記中央側に傾いた状態で前記第１姿勢になると共に、前記第１姿勢から前記第２姿勢への回動時に、前記後方側の部位が前記バーナ上部カバー５の前記上面５ａにガイドされながら上方に回動するものであることが好ましい。この構成では、前記第１姿勢において前記中央側に傾いた前記後方側の部位が、前記第２姿勢への回動時に前記側壁７に近づきながら上昇し易くなる。そのため、前記サイドカバー２０の前記第２突起１１への取付を円滑に行い易くすることができて、前記サイドカバー２０の取付作業を簡単に行い易くすることができる。
【０００９】
また、このグリルとして、前記第１突起１０が、前記第１軸部１０ａに比べて大径の頭部１２ａを前記第１係止部１０ｂとしたピン１２であり、前記第２突起１１が、前記第２軸部１１ａに比べて大径の頭部１２ａを前記第２係止部１１ｂとしたピン１２であることが好ましい。この構成では、前記第１突起１０及び前記第２突起１１の構成を簡素にすることができる。そして、前記第１係止部１０ｂにあっては、頭部１２ａによって上方と前方の両方等の複数の向きで、前記サイドカバー２０の前記第１突起１０からの脱落を阻止することができて、前記第２姿勢への回動を安定して行い易くなり、前記サイドカバー２０の取付作業を簡単に行い易くすることができる。
【００１０】
また、このグリルとして、前記サイドカバー２０は、前記壁面７ａを覆う縦片２１と、前記バーナ上部カバー５の前記上面５ａを覆い且つこの上面５ａに載置される下片２３とを備え、前記第１姿勢時に前記下片２３の前記バーナ上部カバー５の前記上面５ａからの脱落を阻止する牽制部３１が設けてあり、前記サイドカバー２０は、前記第１姿勢時に前記牽制部３１によって、前記第２開口部２７を前記第２突起１１の下方に位置し且つ前記下片２３の一部を前記バーナ上部カバー５の前記上面５ａに当接した状態で保持されるものであることが好ましい。この構成では、前記第２姿勢への回動時に、この回動の初期から前記サイドカバー２０を前記バーナ上部カバー５の前記上面５ａでガイドすることができる。そのため、前記回動時に、前記後方側の部位が前記縦片２１を前記側壁７に近づけながら上昇し易くなり、前記サイドカバー２０の前記第２突起１１への取付を円滑に行い易くすることができて、前記サイドカバー２０の取付作業を簡単に行い易くすることができる。
【００１１】
また、このグリルとして、前記第２姿勢への回動時に前記サイドカバー２０の前方側へのスライド移動を規制する規制部３２が設けてあることが好ましい。この構成では、前記操作部３０の押圧操作による前記第２姿勢への回動時に、前記第１突起１０が前記幅狭部２６からずれ難くすることができて、前記サイドカバー２０を前記第２突起１１に取り付け易くすることができる。
【００１２】
また、このグリルとして、前記第２開口部２７が後方に開放した形状であることが好ましい。この構成では、前記第２姿勢への回動時に、前記第２突起１１が前記第２開口部２７内に位置し易くなり、前記第２突起１１を前記第２開口部２７に取り付け易くすることができる。そして、前記サイドカバー２０の取外し作業にあっては、前記第１突起１０の前記第１開口部２４からの離脱時等に、前記第２開口部２７の端縁と前記第２突起１１との干渉による前記サイドカバー２０の姿勢の制限が生じ難くすることができて、前記サイドカバー２０を前記第１突起１０から取外し易くすることができる。更に、第１突起１０の離脱後であれば、前記サイドカバー２０を前方に引き出すだけで、前記第２突起１１の前記第２開口部２７からの離脱を行うことができて、前記サイドカバー２０を前記第２突起１１から取外し易くすることができる。
【発明の効果】
【００１３】
本発明は、第１開口部や第１突起の位置を視認した状態でサイドカバーを第１突起に取り付けた後、操作部を押圧操作して第２姿勢へ回動させるだけで、サイドカバーを第２突起に取り付けることができる。そのため、サイドカバーの第１突起及び第２突起への取付を円滑に行い易くなり、サイドカバーの取付作業を簡単に行い易くすることができる。
【図面の簡単な説明】
【００１４】
【図１】本発明の一実施形態のグリルの斜視図である。
【図２】同上の右側の側断面図である。
【図３】同上のサイドカバーを取外した状態の側断面図であり、（ａ）は右側であり、（ｂ）は左側である。
【図４】右側のサイドカバーの斜視図である。
【図５】同上の説明図であり、（ａ）は下片を水平面に載置した状態の平面図であり、（ｂ）は第２姿勢における平面図であり、（ｃ）は第２姿勢における側面図であり、（ｄ）は第２姿勢における正面図である。
【図６】左側のサイドカバーの説明図であり、（ａ）は下片を水平面に載置した状態の斜視図であり、（ｂ）は第２姿勢における側面図であり、（ｃ）は第２姿勢における正面図である。
【図７】サイドカバーの取付動作の説明図であり、（ａ）は第１突起を幅広部に挿通した状態における斜視図であり、（ｂ）は第１姿勢における斜視図である。
【図８】サイドカバーの取付動作の説明図であり、（ａ）は第１突起を幅広部に挿通した状態における側断面図であり、（ｂ）は第１姿勢における側断面図である。
【発明を実施するための形態】
【００１５】
以下、本発明を添付図面に示す実施形態に基づいて説明する。グリル１は、図１に示すように、グリル庫２と、グリルバーナと、バーナ上部カバー５と、サイドカバー２０とを有する。グリル庫２は前方に開口（前開口）を有し、前開口は前面に設けたグリル扉（不図示）によって開閉自在に閉塞される。グリル庫２内の下部には、前方に引出自在でグリル受皿（不図示）が設けてある。そして、このグリル受皿上には、被加熱物（不図示）を載置させる載置部としての焼き網（不図示）が載置され、その被加熱物をグリルバーナにて加熱するように構成されている。言い換えると、グリル庫２は、グリル受皿を介して被加熱物を内部に収容可能で且つ被加熱物を出し入れ可能であると共に、グリル扉を介して前方を開放自在になっている。
【００１６】
グリルバーナは、上火バーナ４（図２等参照）と、下火バーナ３とで主体が構成される。上火バーナ４はグリル庫２の上面に配設されており、グリル庫２内に収容された被加熱物をその上面側から加熱する。下火バーナ３はグリル庫２の下部の左右両側に左右一対で配設されており、グリル庫２内に収容された被加熱物をその下面側から加熱する。そして、下火バーナ３は、図３に示すように、グリル庫２内の側壁７より下方に配置されている。そして、下火バーナ３は、図１に示すように、一部または全部が側壁７よりグリル庫２の左右方向における中央側に突出して位置し、この突出した部位の上方をバーナ上部カバー５が覆っている。以下、左右方向における中央を、左右中央と記載する。
【００１７】
バーナ上部カバー５は側壁７と一体で形成されており、側壁７の下火バーナ３より上方に位置する下端から左右中央側に突出して設けてある。バーナ上部カバー５の上面５ａは、側壁７から下向きで左右中央側に傾斜した傾斜面になっている。
【００１８】
サイドカバー２０は、側壁７に対して着脱自在でグリル庫２内に左右一対で設けてある。サイドカバー２０は、図２に示すように、側壁７の壁面７ａ及びバーナ上部カバー５の上面５ａ（傾斜面）を覆い、グリル１での被加熱物の加熱調理時に飛散した汚れが側壁７等に直接付着することを抑制する。なお、図１（及び図７）では、左側のサイドカバー２０を省略している。
【００１９】
詳しくは、サイドカバー２０が、壁面７ａを覆う縦片２１と、側壁７の上端からグリル庫２上面に至る傾斜部位８を覆う上片２２と、上面５ａを覆う下片２３とを備えており、表面にはホーロー仕上げがしてある。そして、図４乃至図６に示すように、縦片２１、上片２２、下片２３は各々、前後方向に長い矩形の平板状となっており、縦片２１と上片２２と下片２３とは金属板等で一体に形成されている。なお、左右両側壁７に装着される二つのサイドカバー２０は、上火バーナ４の点火プラグ４ａ等の機器との接触を回避するために右側のサイドカバー２０の上片２２に切欠き部２２ａを形成してある点を除き、略左右対称の形状になっている。
【００２０】
また、側壁７への装着状態を基準として、上片２２は左右中央側に上向き傾斜して、縦片２１の上端（上側の長辺）から上方に延設されている。上片２２は、側壁７への装着状態を基準として、傾斜部位８の傾斜した下面８ａと略平行に並び、この傾斜部位８の下面８ａを覆う。下片２３は、側壁７への装着状態を基準として、左右中央側に下向き傾斜して、縦片２１の下端（下側の長辺）から下方に延設されている。そして、下片２３は、バーナ上部カバー５の傾斜面（上面５ａ）と略平行に並び、上面５ａに載置された状態（図１，図２参照）でこの上面５ａを覆う。
【００２１】
更に、サイドカバー２０は、図５（ｂ）や図５（ｄ）や図６（ｃ）に示すように、上片２２と下片２３とが上下方向において対向すると共に、上片２２と下片２３の間の上下方向の寸法（上下寸法）が左右方向において縦片２１から離れる程広くなる形状になっている。言い換えると、サイドカバー２０は、前後方向に視て（正面視）開口側程広くなるコ字状になっている。。
【００２２】
また、図３に示すように、グリル庫２はサイドカバー２０装着用の突起が前後一対で、左右両方の側壁７に各々設けてある。この一対の突起は、壁面７ａの前後方向における中央より前方側の箇所から左右中央側に突出して設けた第１突起１０と、壁面７ａの前後方向における中央より後方側の箇所から左右中央側に突出して設けた第２突起１１とに区別される。
【００２３】
第１突起１０は壁面７ａの前端より後方で且つ上下寸法の中央より上方に位置する。そして、第１突起１０は、壁面７ａから略直交して突出した円柱状の第１軸部１０ａと、第１軸部１０ａの突出先端に形成された第１軸部１０ａより大径の頭部１２ａとを備えるピン１２で構成される。
【００２４】
第１軸部１０ａは、円柱の軸方向の一方の端部がねじ形状になっており、この端部を側壁７に螺合して取り付けることで、側壁７に固定してある。そして、第１軸部１０ａは、軸方向において上記ねじ状の端部の反対に位置する端部（円柱の他端）に頭部１２ａが一体で設けてある。
【００２５】
頭部１２ａは第１軸部１０ａと略同心で且つ第１軸部１０ａより大径で形成されている。そして、頭部１２ａは第１軸部１０ａが側壁７から突出して位置するために、左右方向において側壁７から所定の間隔離れて位置し、この間隔は、サイドカバーの縦片２１の板厚（左右方向の寸法）より広い或いは略同じ寸法になっている。更に、頭部１２ａは第１軸部１０ａより径外方向に突出した第１軸部１０ａ側を向く面で、第１軸部１０ａに取り付けたサイドカバー２０の抜け止めを行い、サイドカバー２０の第１突起１０からの脱落を阻止する第１係止部１０ｂとして機能する。言い換えると、第１突起１０は、側壁７から左右中央側に突出した第１軸部１０ａと、第１軸部１０ａの突出先端に形成された第１係止部１０ｂとを備える。そして、第１係止部１０ｂは全周が側面視（左右方向に視て）第１軸部１０ａより径外方向に張り出している。
【００２６】
第２突起１１は、第１突起１０と略同一のピン１２で構成されており、側壁７に固定され壁面７ａから突出した第２軸部１１ａと、ピン１２の頭部１２ａからなる第２係止部１１ｂとを備える。つまり、第２突起１１は、第１突起１０と同様に、側壁７から左右中央側に突出した第２軸部１１ａと、第２軸部１１ａの突出先端に形成された第２係止部１１ｂとを備えると共に、第２係止部１１ｂの全周が側面視第２軸部１１ａより径外方向に張り出している。
【００２７】
そして、第２突起１１は、頭部１２ａの第２軸部１１ａより径外方向に突出した第２軸部１１ａ側を向く面で、第２軸部１１ａに取り付けたサイドカバー２０の抜け止めを行い、サイドカバー２０の第２突起１１からの脱落を阻止する。
【００２８】
更に、第２突起１１は、第１突起１０より後方で且つ上下寸法の略中央に位置する。言い換えると、第２突起は正面視第１突起１０に対して下方にずれた位置に設けてある。
【００２９】
また、サイドカバー２０の縦片２１には、図２に示すように、第１突起１０に対応する位置に第１開口部２４が設けてあり、第２突起１１に対応する位置に第２開口部２７が設けてある。
【００３０】
第１開口部２４は、左右方向に貫通し且つ第１突起１０の頭部１２ａの直径に比べて前後方向に長い長孔になっている。そして、第１開口部２４は、長円形状の前方側の部位（前方側の開口）と、長円の直線部位の後端に連通した円形状の後方側の部位（後方側の開口）とで構成される。更に、後方側の開口は、前方側の開口に比べて上下方向の幅寸法（上下幅）が大きい（広い）構成になっている。言い換えると、前方側の開口が、後方側の開口に比べて上下幅が狭い幅狭部２６になっており、後方側の開口が、幅狭部２６に比べて上下幅が広い幅広部２５になっている。
【００３１】
前方側の開口（幅狭部２６）は、略平行に並ぶ直線部位間における上下方向の幅寸法（上下幅）が、ピン１２の頭部１２ａの直径に比べて小さく且つ第１軸部１０ａの直径に比べて大きい寸法になっている。そのため、幅狭部２６は、第１軸部１０ａを挿通自在になっているが、第１係止部１０ｂを挿通不能になっている。
【００３２】
更に、サイドカバー２０は、側壁７への装着時に、幅狭部２６に第１突起１０が位置し、且つ第１突起１０が第１開口部２４の前端縁２４ａに当接した状態になる。この状態になることで、第１係止部１０ｂの第１軸部１０ａ側を向く面のうち第１軸部１０ａより外周の上方、前方、下方側の部位が縦片２１の板面に接触して、サイドカバー２０は第１突起１０からの脱落を第１係止部１０ｂによって阻止される。
【００３３】
後方側の開口（幅広部２５）は、上下幅（直径）がピン１２の頭部１２ａの直径に比べて大きい寸法になっており、第１軸部１０ａ及び第１係止部１０ｂを挿通自在になっている。そのため、サイドカバー２０は幅広部２５を介して、第１突起１０を第１開口部２４に挿通したり、挿通した第１突起１０を第１開口部２４から抜き出したりすることができる。
【００３４】
第２開口部２７は、左右方向に貫通し且つ第２突起１１の頭部１２ａの直径に比べて前後方向に長い長孔になっていると共に、長孔の後端が後方に開放した形状になっている。そして、第２開口部２７は上下幅が第２突起１１の頭部１２ａの直径に比べて広く、第２軸部１１ａ及び第２係止部１１ｂを挿通自在になっている。また、第２開口部２７は後方に開放した部位の上端縁が後方に向かって上向き傾斜し、且つこの傾斜した部位より前方側の上端縁が略水平になっている。
【００３５】
そして、サイドカバー２０は、側壁７への装着時に、第２開口部２７の上端縁の上記略水平な部位が第２軸部１１ａに載置当接した状態になる。この状態になることで、第２係止部１１ｂの第２軸部１１ａ側を向く面のうち少なくとも第２軸部１１ａより外周の上方側の部位が縦片２１の板面に接触して、サイドカバー２０は第２突起１１からの脱落を第２係止部１１ｂによって阻止される。
【００３６】
更に、サイドカバー２０は、図８（ａ）に示すように、縦片２１の後端から幅広部２５に至るまでの前後方向の寸法（前後寸法）が、第１突起１０から第２突起１１までの前後寸法に比べて小さい或いは略同じ寸法になっている。そのため、幅広部２５に第１突起１０を挿通する際に、第２突起１１がサイドカバー２０の後端より後方や第２開口部２７の開放部位に位置し易くなる等で、上記挿通の際に第２突起１１がサイドカバー２０に干渉し難い構成になっている。
【００３７】
また、図４乃至図６に示すように、サイドカバー２０は下片２３の前端部に、サイドカバー２０の取付作業（詳細は後述する）時に操作する操作部３０が左右中央側に突出して設けてある。操作部３０は前後方向に略直交した板面を有する板状で、第１開口部２４より下方に位置する。
【００３８】
そして、操作部３０は、取付作業時に、サイドカバー２０が第１姿勢（詳細は後述する）となった際に、前面（前方を向く板面）を後方側に向けて押圧操作することで、サイドカバー２０を第２姿勢（詳細は後述する）となるように移動させる。更に、操作部３０はサイドカバー２０から左右中央側に突出するため、前後の両板面を使用者の指で摘む等で把持可能となっている。
【００３９】
以下、図面に基づいて、サイドカバー２０の側壁７への取付動作を説明する。なお、サイドカバー２０は左右両方に各々一つずつ装着されるが、各々の取付動作は略同じ動作であるため、一方のサイドカバー２０の取付動作のみを例示し、残りの一方のサイドカバー２０の取付動作は省略する。
【００４０】
まず、サイドカバー２０は、図７（ａ）や図８（ａ）に示すように、幅広部２５に第１突起１０を挿通する。この後、後方側へスライド移動して第１突起１０を幅狭部２６に位置させて、図７（ｂ）や図８（ｂ）に示すように、第１突起１０からの脱落を第１係止部１０ｂで阻止した状態にする。この状態において、サイドカバー２０は、後方側の部位が自由端になっているため、第１突起１０との接触箇所を支点として、傾斜面（上面５ａ）にガイドされながら下方に降下する。そして、サイドカバー２０は、第１軸部１０ａに第１開口部２４（幅狭部２６）の前端縁２４ａが当接され、後方側の部位が上方側ほど側壁７から離れるように左右中央側に傾き且つ前方側の部位に比べて下方に位置した姿勢（第１姿勢）になる。
【００４１】
更に、この後方側の部位が下方に降下した際に、サイドカバー２０は、縦片２１の第１開口部２４より前方側に形成された牽制部３１によって、下片２３の傾斜面（上面５ａ）からの脱落を阻止される。
【００４２】
詳しくは、図７（ｂ）に示すように、上片２２の前後寸法が縦片２１及び下片２３の前後寸法より短く形成されており、上片２２の前端が縦片２１の前端より後方に位置する。そして、図８（ｂ）に示すように、サイドカバー２０の後方側の部位が傾斜面（上面５ａ）に沿ってガイドされて傾いた際には、上片２２より前方に位置する縦片２１の前端上部（角）が側壁７の壁面７ａに接触して、サイドカバー２０の回動を抑制する。
【００４３】
更に、この縦片２１の前端上部が壁面７ａに接触した際に、サイドカバー２０は、下片２３の後端の一部を傾斜面（上面５ａ）に当接した状態で且つ第２突起１１より下方に第２開口部２７を位置した状態になる。つまり、この上片２２より前方に突出する縦片２１の前端上部が、傾斜面（上面５ａ）からの下片２３の脱落を阻止する牽制部３１として機能する。
【００４４】
次に、この第１姿勢に移行後、操作部３０を後方側に押圧操作することで、サイドカバー２０は第１突起１０からの脱落を阻止された状態で、第１軸部１０ａに当接された幅狭部２６の前端縁２４ａを支点として、後方側の部位が傾斜面（上面５ａ）にガイドされながら上方に回動する。言い換えると、操作部３０を後方側に押圧操作することで、サイドカバー２０は、縦片２１の板面が壁面７ａと略平行に並び対向するように、後方側の部位が側壁７に近づきながら上昇する。
【００４５】
そして、サイドカバー２０は、この上方への回動によって、第２開口部２７に第２突起１１が位置することで、第２開口部２７に第２突起１１が挿通される。この第２突起１１の挿通後、操作部３０の押圧操作を解き、第２開口部２７の上端縁を第２軸部１１ａに載置することで、サイドカバー２０は第２突起１１からの脱落を第２係止部１１ｂで阻止される第２姿勢になる。そして、この第２姿勢が、図１や図２に示すように、サイドカバー２０を側壁７に装着した姿勢になっている。
【００４６】
更に、上記第１姿勢から第２姿勢へ回動する際に、サイドカバー２０は、幅狭部２６に設けられた規制部３２によって、サイドカバー２０の前方側へのスライド移動が規制されて、第１開口部２４の前端縁２４ａが第１軸部１０ａから離れることを阻止される。
【００４７】
詳しくは、縦片２１の第１開口部２４の上端縁の前端縁２４ａ近傍に、上方に凹んだ側面視円弧状の凹部３３が設けてあり、凹部３３は左右方向に貫通し且つ下方側が幅狭部２６に連通して形成してある。そして、凹部３３内には、第１姿勢や第２姿勢への回動時に第１軸部１０ａの一部が位置する。そのため、第２姿勢への回動時にあっては、凹部３３が第１軸部１０ａの後方側の周面に接触する等で、第１軸部１０ａと第１開口部２４の前端縁２４ａとが接触した状態に保持されて、サイドカバー２０は前方側へのスライド移動が阻止される。つまり、凹部３３が、第２姿勢への回動時にサイドカバー２０の前方側へのスライド移動を規制する規制部３２として機能する。
【００４８】
このように、本例のグリル１は、サイドカバー２０が汚れた場合、両側のサイドカバー２０を取外してグリル庫２から外に出し、グリル庫２外でサイドカバー２０の掃除を行い、掃除を行った後に再びグリル庫２の両側に取り付ける。そのため、被加熱物の加熱調理時にグリル庫２内に生じる汚れをグリル庫２外で容易に除去することができ、グリル庫２の掃除を行い易くすることができる。
【００４９】
そして、第１突起１０及び第１開口部２４や第２突起１１及び第２開口部２７（装着用の取付部材）を前後方向の前端近傍や後端近傍に設けたことで、汚れが付着し易い縦片２１の前後方向の中央やその近傍に取付部材を設けた場合に比べて、第１突起１０や第２突起１１への汚れの付着や、第１開口部２４や第２開口部２７を介した壁面７ａへの汚れの付着を抑制することができる。そのため、グリル庫２内に生じる汚れの多くがサイドカバー２０に付着し易くなり、グリル庫２内の汚れを容易にグリル庫２外で除去することができる。
【００５０】
また、サイドカバー２０取付時にあっては、第１開口部２４や第１突起１０の位置を目視した状態で、サイドカバー２０を第１突起１０に取り付けることができて、容易にサイドカバー２０の第１突起１０からの脱落を第１係止部１０ｂで阻止した第１姿勢にすることができる。そして、この第１姿勢から操作部３０を押圧操作してサイドカバー２０を回動させることで、第２開口部２７内に第２突起１１が位置して、サイドカバー２０を第２突起１１に取り付けることができて、容易にサイドカバー２０の第２突起１１からの脱落を阻止した第２姿勢にすることができる。
【００５１】
更に、この第２姿勢でサイドカバー２０が側壁７に装着されるため、サイドカバー２０のグリル庫２への取付作業を簡単に行うことができる。言い換えると、押圧操作によってサイドカバー２０を回動させる操作部３０を設けたことで、従来では取付が困難な後方側の取付部材（第２突起１１）へのサイドカバー２０の取付を、容易に且つ円滑に行うことができて、取付作業を簡単に行い易くすることができる。そして、操作部３０をサイドカバー２０から左右中央に突出して設けたことで、操作部３０を後方側に押圧し易い構成になっている。言い換えると、操作部３０は使用者が押圧操作し易くなっており、取付作業を行い易くすることができる。更に、操作部３０は突出して設けたことで、操作部３０を使用者の指等で摘み易くなり、サイドカバー２０を装着させた状態であっても、使用者が操作部３０を摘んでサイドカバー２０を把持することができて、取外し作業を行い易くすることができる。
【００５２】
また、第１突起１０及び第２突起１１の前後二箇所での係止によって、サイドカバー２０を側壁７に取り付けるため、係止用の取付部材を前後に設けた従来の構成と略同様に、二つの係止を解くだけで、サイドカバー２０を側壁７から取外すことができて、取外し作業を容易に行うことができる。そして、サイドカバー２０の形状が正面視開口側程広くなるコ字状であるため、サイドカバー２０の掃除の際に縦片２１等の掃除を行い易くなっており、サイドカバー２０に付着した汚れを除去し易くすることができる。更に、サイドカバー２０の表面にホーロー仕上げがしてあると、汚れを付着し難くすることができ、掃除によって汚れを除去し易くすることができる。
【００５３】
また、第１突起１０に、頭部１２ａを第１係止部１０ｂとしたピン１２を用いたことで、側壁７にピン１２を取り付けるだけで第１突起１０を設けることができて、第１突起１０の構成を簡素にすることができる。そして、第２突起１１に、頭部１２ａを第２係止部１１ｂとしたピン１２を用いたことで、側壁７にピン１２を取り付けるだけで第２突起１１を設けることができて、第２突起１１の構成を簡素にすることができる。
【００５４】
更に、第１突起１０にあっては、頭部１２ａが第１軸部１０ａより大径であるため、第１係止部１０ｂは第１軸部１０ａ側を向く面の上方側から前方側を介して下方側に至る部位等の複数の部位を縦片２１に当接することができる。そのため、第１突起１０の幅狭部２６への移動後に例えばサイドカバー２０の後方側の部位が降下する等でサイドカバー２０の姿勢が変化して第１姿勢になる場合に、前方側の部位のみ等の一点のみで阻止した場合に比べて、上記姿勢の変化の際におけるサイドカバー２０の脱落をより阻止し易くすることができる。そして、第２姿勢への回動時にあっても、上記回動に伴ってサイドカバー２０の姿勢が変化した際において、一点のみで阻止した場合に比べて、脱落をより阻止し易くすることができて、上記回動を円滑に且つ安定して行い易くすることができる。
【００５５】
また、牽制部３１を設けたことで、第２姿勢への回動時に、この回動の初期からサイドカバー２０を傾斜面（上面５ａ）でガイドすることができて、サイドカバー２０の後方側の部位が縦片２１を側壁７に近づけて傾きを解消しながら上昇し易くすることができる。そのため、第２開口部２７に第２突起１１が位置する際に第２開口部２７の上端縁が第２係止部１１ｂより側壁７側に位置し易くすることができて、サイドカバー２０の第２突起１１への取付を円滑に行い易くなり、サイドカバー２０の取付作業を簡単に行い易くすることができる。
【００５６】
そして、第２開口部２７が縦片２１の上端近傍より下方、例えば上下寸法の略中央や下端近傍に位置するため、牽制部３１で第１姿勢に規定した状態において、第２突起１１が縦片２１の上端より下方に位置し易くすることができる。そのため、第２姿勢への回動時に、縦片２１と上片２２との境界部位や上片２２等に第２突起１１が干渉し難くなり、第２姿勢への回動を行い易くすることができて、サイドカバー２０の回動を円滑に行い易くすることができる。
【００５７】
また、第１突起１０を幅狭部２６（第１開口部２４）の前端縁２４ａに当接した状態に保持する規制部３２を設けたことで、第２姿勢への回動時に、第１突起１０が幅狭部２６の前端縁２４ａに当接した状態からずれ動き難くなる。言い換えると、第２姿勢への回動時に、規制部３２は第１突起１０が幅広部２５側に移動することを抑制する。そのため、上記回動時に第１突起１０が幅広部２５側にずれ動くことによるサイドカバー２０の第１突起１０から脱落を生じ難くすることができて、上記回動を円滑に且つ安定して行い易くすることができる。
【００５８】
更に、支点である上記当接部位から力点である操作部３０までの距離が規制部３２の規制によって略変化せずに回動を行えるため、サイドカバー２０の軌道を規定し易くなる。言い換えると、規制部３２の規制によって、サイドカバー２０を安定した軌跡で回動させ易くすることができるため、上記回動時に、第２突起１１を第２開口部２７内に位置させ易くすることができる。
【００５９】
また、第２開口部２７が後方に開放した形状であるため、第２姿勢への回動時に、第２突起１１が第２開口部２７内に位置し易くなり、第２突起１１を第２開口部２７に取り付け易くすることができて、取付作業を簡単に行い易くすることができる。
【００６０】
そして、第２開口部２７が後方に開放してあるため、第１突起１０を幅広部２５に挿通した際や、第１突起１０を幅狭部２６に位置させた際に、第２突起１１が第２開口部２７内に位置する場合がある。この場合、第２軸部１１ａに第２開口部２７の上端縁を載置し、且つ第１突起１０を幅狭部２６（第１開口部２４）の前端縁２４ａに当接させることで、サイドカバー２０を第２姿勢にすることができる。
【００６１】
つまり、第２開口部２７の後方を開放したことで、上記場合にあっては、第１姿勢をとらずにサイドカバー２０を側壁７に装着することができて、取付作業を簡単に行い易くすることができる。そして、第２開口部２７の上端縁の後方側が後方に向かって上向き傾斜しているため、サイドカバー２０の後方へのスライド移動時に、この傾斜部位がガイドとなって第２突起１１を第２開口部２７の上端縁に当接し易くすることができて、第１姿勢をとらずにサイドカバー２０を側壁７に装着し易くすることができる。
【００６２】
また、後方に開放している第２開口部２７は、サイドカバー２０の側壁７からの取外しの際において、第１突起１０を幅広部２５に位置させるためのサイドカバー２０の前方へのスライド移動時や、第１突起１０の幅広部２５からの抜き出し時等の第１突起１０の第１開口部２４からの離脱時に、第２開口部２７の後端縁と第２突起１１との干渉によるサイドカバー２０の姿勢の制限を生じ難くすることができる。そのため、取外し作業時に、第１突起１０を第１開口部２４から離脱させ易く、サイドカバー２０の側壁７からの取外し作業を簡単に行い易くすることができる。そして、第２突起１１の第２開口部２７からの離脱時に、第１突起１０を第１開口部２４から取外した状態であれば、サイドカバー２０を前方に引き出すだけで、第２突起１１を第２開口部２７から取外すことができて、サイドカバー２０の取外し作業を簡単に行い易くすることができる。
【００６３】
なお、本発明は上記例示の実施形態の構成のみに限定されるものではなく、本発明の意図する範囲内であれば、上記実施形態において適宜の設計変更を行うことが可能である。例えば、第１突起１０及び第２突起１１はピン１２に限らず、第１突起１０及び第２突起１１が上方に凸のフック形状のものであってもよい。このものでは、第１突起１０を幅狭部２６へ位置させるためのサイドカバー２０のスライド移動時に、第１係止部１０ｂがサイドカバー２０の第１突起１０からの脱落を阻止する部材としても機能する。また、第１突起１０にあっては前方に凸のフック形状のものであってもよい。
【００６４】
また、下火バーナ３は、側壁７から左右中央側に突出しないものであってもよい。このものでは、バーナ上部カバー５の上面５ａを備えない構成になるため、サイドカバー２０が縦片２１のみ或いは縦片２１と上片２２のみを備える。また、サイドカバー２０は、例えば、上片２２が縦片２１と略平行に板面を有したものや、下片２３が縦片２１と略平行に板面を有したものや、上片２２及び下片２３が縦片２１と略平行に板面を有したものや、上片２２の無いものであってもよい。そして、下片２３や上片２２が縦片２１と略平行に板面を有したサイドカバー２０では、側壁７への装着時に、縦片２１が側壁７の壁面７ａと平行に並ばないものであってもよい。また、サイドカバー２０は、下片２３が下端を上面５ａに当接して載置され上面５ａの下方が露出するものや、下片２３が板面を上面５ａの下端に当接して上面５ａに載置されないもの等であってもよい。また、サイドカバー２０は、幅狭部２６の前後寸法が第１軸部１０ａの直径より長尺な形状に限らず、例えば第１軸部１０ａの直径と略同じ前後寸法であってもよい。また、幅広部２５や幅狭部２６の形状は、円形状や長円形状に限らず、例えば矩形状等であってもよい。
【００６５】
また、牽制部３１は、例えば、縦片２１の上片２２より前方に位置する上端から前方上向きに突出して設けてもよい。また、例えば、縦片２１の上片２２より前方に位置する上端を切欠く等で前方及び上方に開口した凹所を形成し、縦片２１の上端より下方で且つ第１開口部２４と略同じ高さ或いは第１開口部２４より上方に位置する上記凹所の下端縁前端を牽制部３１としてもよい。また、牽制部３１は、サイドカバー２０を第１姿勢時に第２開口部２７を第２突起１１の下方に位置し且つ下片２３の一部を傾斜面（上面５ａ）に当接した状態で保持可能なものであれば、サイドカバー２０に設けたものに限らない。例えば、上記状態でサイドカバー２０の前端が当接される凸部或いは凹部を側壁７に設けたものや、傾斜面（上面５ａ）より下方の位置で左右中央側に突出した凸部をバーナ上部カバー５に設け、この凸部を下片２３に当接して姿勢を保持するもの等であってもよい。もちろん、牽制部３１はサイドカバー２０に別部材で設けたものであってもよい。
【００６６】
また、規制部３２は、円弧状の凹部３３に限らず、例えば矩形状の凹部３３であってもよい。また、例えば第１軸部１０ａの一部を収容するものに限らず、第１係止部１０ｂを挿通不能の形状または寸法条件であれば、第１軸部１０ａの全部を収容するものであってもよい。このものでは、例えば凹部３３の前端縁が、第１軸部１０ａを当接する第１開口部２４の前端縁２４ａとして機能する。また例えば、上下方向において幅狭部２６内に突出した凸部を規制部３２として設けて、第１突起１０が凸部と幅狭部２６の前端縁２４ａとに接触することで、回動時に位置ずれを阻止する構成であってもよい。このものでは、凹部３３と同様に、第１姿勢へのスライド移動時において第１突起１０の位置決め手段としても機能する。また、凸部を用いた規制部３２にあっては、弾性部材等を用いて第１開口部２４にサイドカバー２０と別部材で設けたものであってもよい。
【００６７】
また、本発明のグリルは、上火バーナ４を有さず、下火バーナ３単独のものであってもよい。また、本発明のグリルは、グリル１単独のものに限らず、こんろバーナからなるこんろ部を有したグリル付きのガスこんろに設けたグリルであってもよい。また、本発明のグリルは、同じサイドカバー２０を清掃することで繰り返し利用するものに限らず、汚れが付着した際に側壁７から取外した後、新たなサイドカバー２０を側壁７に取り付ける所謂使い捨て式のものであってもよい。
【符号の説明】
【００６８】
１  グリル
２  グリル庫
３  下火バーナ
５  バーナ上部カバー
５ａ  上面
７  側壁
７ａ  壁面
１０  第１突起
１０ａ  第１軸部
１０ｂ  第１係止部
１１  第２突起
１１ａ  第２軸部
１１ｂ  第２係止部
１２  ピン
１２ａ  頭部
２０  サイドカバー
２１  縦片
２３  下片
２４  第１開口部
２４ａ  前端縁
２５  幅広部
２６  幅狭部
２７  第２開口部
３０  操作部
３１  牽制部
３２  規制部
【図１】
0005886642.tif 000002
【図２】
0005886642.tif 000003
【図３】
0005886642.tif 000004
【図４】
0005886642.tif 000005
【図５】
0005886642.tif 000006
【図６】
0005886642.tif 000007
【図７】
0005886642.tif 000008
【図８】
0005886642.tif 000009